(57)【要約】  対麻痺患者の身支度を補助する装置は、脊髄損傷を有する人を持ち上げて、若しくは、車椅子のシート又は便座上で足をほとんど使用しない人を持ち上げて、パンツの簡単で滑るような着脱を可能にするように設計される。装置は、座席固定物に隣接して装着される壁であってもよい。装置は、「自立」フレームに装着されてもよく、「自立」フレームは、装置が移動して回ることを簡単にする車輪を有してもよく、及び、格納のために容易に折り畳めてもよい。装置を使用するため、人は、彼らの横に水平に腕を広げ、腋窩の領域の下に腋窩レストを置く。パンツに手を伸ばす際、腋窩レストは水平位置から垂直位置に向きを変え、パンツを滑るように着脱するように彼らを十分に持ち上げる。【選択図】図７
2016540525.tif 000002
【特許請求の範囲】
【請求項１】
対麻痺患者の身支度を補助する装置であって、当該装置は、
腋窩レスト厚さ、少なくとも１つの略平坦横側面、及び、腋窩レスト縁部を有する少なくとも１つの腋窩レストと、
腋窩レストローブ高さを有する前記少なくとも１つの腋窩レストの腋窩レストローブであって、前記腋窩レストローブ高さは前記腋窩レスト厚さより大きい、腋窩レストローブと、
前記少なくとも１つの腋窩レストにしっかりと取り付けられた少なくとも１つの横支持部と、
前記少なくとも１つの横支持部にしっかりと取り付けられ、前記少なくとも１つの腋窩レストが、ほぼ水平位置からほぼ垂直位置に半径方向に回転し、かつ、前記ほぼ水平位置に復帰することを可能にすることができる回転支持部であって、当該回転支持部は、前記少なくとも１つの横支持部に固定された少なくとも１つのエネルギー貯蔵装置であって、前記ほぼ垂直位置から前記ほぼ水平位置に前記少なくとも１つの腋窩レストを回転させるのに十分なエネルギーを貯蔵及び放出することができる少なくとも１つのエネルギー貯蔵装置を有する、回転支持部と、
前記少なくとも１つの横支持部にしっかりと固定された少なくとも１つの縦支持部と、を備える装置。
【請求項２】
前記回転支持部が、前記少なくとも１つのエネルギー貯蔵装置の回転を拘束することができる回転支持部固定部をさらに備える、請求項１に記載の装置。
【請求項３】
前記少なくとも１つのエネルギー貯蔵装置がばねである、請求項１に記載の装置。
【請求項４】
前記少なくとも１つのエネルギー貯蔵装置がトーションバーである、請求項１に記載の装置。
【請求項５】
前記腋窩レストローブがほぼ平坦である、請求項１に記載の装置。
【請求項６】
前記回転支持部固定部が、前記回転支持部固定部の中空貫通部を通じて拘束される回転支持部第２端を備える、請求項２に記載の装置。
【請求項７】
前記回転支持部固定部が、クランプによって固定された回転支持部第２端を備える、請求項２に記載の装置。
【請求項８】
前記回転支持部固定部が、溶接によって固定された回転支持部第２端を備える、請求項２に記載の装置。
【請求項９】
前記回転支持部固定部が、前記少なくとも１つの縦支持部の中空貫通部を通じて拘束される回転支持部第２端を備える、請求項２に記載の装置。
【請求項１０】
前記腋窩レストローブが、ほぼ人間の腋窩用のサイズを有する腋窩キャビティを備える、請求項１に記載の装置。
【請求項１１】
前記少なくとも１つの腋窩レストの垂直位置を調節することができる垂直調節装置をさらに備える、請求項１に記載の装置。
【請求項１２】
前記垂直調節装置が、前記少なくとも１つの腋窩レストの垂直位置を調節するように取り外され及び固定され得る中間滑り溝を備える、請求項１１に記載の装置。
【請求項１３】
前記少なくとも１つの横支持部が前記回転支持部にしっかりと固定される、請求項１に記載の装置。
【請求項１４】
前記少なくとも１つの縦支持部に対して水平に前記少なくとも１つの横支持部を回転させることができる旋回支持部をさらに備える、請求項１に記載の装置。
【請求項１５】
前記旋回支持部がヒンジである、請求項１４に記載の装置。
【請求項１６】
前記少なくとも１つの縦支持部に前記少なくとも１つの横支持部を斜めに固定する少なくとも１つの斜め支持部をさらに備える、請求項１に記載の装置。
【請求項１７】
前記少なくとも１つの斜め支持部に前記回転支持部を固定する回転支持部第２端をさらに備える、請求項１６に記載の装置。
【請求項１８】
相対不動支持部をさらに備える、請求項１に記載の装置。
【請求項１９】
水平フレームをさらに備える、請求項１に記載の装置。
【請求項２０】
前記水平フレームが可動ベースを備える、請求項１９に記載の装置。
【請求項２１】
前記可動ベースが、前記可動ベースに取り付けられた複数の車輪を備える、請求項２０に記載の装置。
【請求項２２】
前記水平フレームが水平フレーム旋回部（５９０）を備える、請求項１９に記載の装置。
【請求項２３】
前記回転支持部が、前記少なくとも１つの横支持部に対して前記少なくとも１つのエネルギー貯蔵装置を拘束するための前記少なくとも１つの横支持部上の横支持部固定部を備える、請求項１に記載の装置。
【請求項２４】
前記横支持部固定部がクランプである、請求項２３に記載の装置。
【請求項２５】
前記横支持部固定部が溶接物である、請求項２３に記載の装置。
【請求項２６】
前記回転支持部が、前記少なくとも１つの横支持部のぐらつきを拘束する少なくとも１つの水平支持拘束部を備える、請求項１に記載の装置。
【請求項２７】
前記少なくとも１つの横支持部拘束部がブッシングである、請求項２６に記載の装置。
【請求項２８】
前記少なくとも１つの横支持部拘束部がベアリングである、請求項２６に記載の装置。
【請求項２９】
固定した座席固定物をさらに備える、請求項１に記載の装置。
【発明の詳細な説明】
【技術分野】
【０００１】
[0002]  本開示は、衣服の着用を補助するための装置に関し、特に、自分自身で衣服を着ることが困難な身体障害者のための装置に関する。
【背景技術】
【０００２】
[0004]  多くの人々にとって衣服の着用を困難にする多くの疾患がある。それらの疾患には、神経を衰弱させる病気、事故及び他の負傷、発作、先天性欠損、並びに、年齢又は人生経験によってほとんどの人にいつか引き起こされる痛み及び衰弱がある。
【０００３】
[0005]  これらの人々が衣服を着ること又はこれらの人々に衣服を着せることを補助することは、愛情や雇用によって、疾患を有する人の衣服の着用を補助することに奉仕するたくさんの素晴らしい人々の努力を要する。
【発明の概要】
【０００４】
[0006]  一実施形態は、腋窩レスト厚さ（１４０）、少なくとも１つの略平坦横側面（１５０）、及び、腋窩レスト縁部（１５５）を有する少なくとも１つの腋窩レスト（１０５）と、腋窩レスト厚さ（１４０）より大きい腋窩レストローブ高さ（１６０）を有する少なくとも１つの腋窩レスト（１０５）の腋窩レストローブ（１４５）と、少なくとも１つの腋窩レスト（１０５）にしっかりと取り付けられた少なくとも１つの横支持部（１１０）と、少なくとも１つの横支持部（１１０）にしっかりと固定された回転支持部（１２０）であって、ほぼ水平位置からほぼ垂直位置に少なくとも１つの腋窩レスト（１０５）を半径方向に回転させることを可能にするとともにほぼ水平位置に少なくとも１つの腋窩レスト（１０５）を復帰させることを可能にすることができる回転支持部（１２０）と、少なくとも１つの横支持部（１１０）にしっかりと固定された少なくとも１つの縦支持部（１１５）と、を備える。
【０００５】
[0007]  ある実施形態では、回転支持部（１２０）は、少なくとも１つの横支持部（１１０）に固定された少なくとも１つのエネルギー貯蔵装置（２２０）を備え、及び、少なくとも１つのエネルギー貯蔵装置（２２０）は、ほぼ垂直位置からほぼ水平位置に少なくとも１つの腋窩レスト（１０５）を回転させるのに十分なエネルギーを貯蔵及び放出することができる。
【０００６】
[0008]  ある実施形態では、回転支持部（１２０）は、回転支持体（２０５）と、回転支持部（１２０）の回転を拘束することができる回転支持部固定部（１２５）と、をさらに備える。
【０００７】
[0010]  ある実施形態では、少なくとも１つのエネルギー貯蔵装置（２２０）はばねである。ある実施形態では、少なくとも１つのエネルギー貯蔵装置（２２０）はトーションバーである。ある実施形態では、少なくとも１つのエネルギー貯蔵装置（２２０）はラチェットである。ある実施形態では、少なくとも１つのエネルギー貯蔵装置（２２０）はカム及び戻り止めである。
【０００８】
[0011]  ある実施形態では、腋窩レストローブ（１４５）はほぼ平坦である。ある実施形態では、回転支持部固定部（１２５）は、回転支持部固定部（１２５）の中空貫通部を通じて拘束される回転支持部第２端（２３０）を備える。
【０００９】
[0012]  ある実施形態では、回転支持部固定部（１２５）は、少なくとも１つのエネルギー貯蔵装置（２２０）に少なくとも１つの横支持部（１１０）を固定するための少なくとも１つの横支持部（１１０）上のクランプ、溶接物又は他の固定部であってもよい。ある実施形態では、回転支持部固定部（１２５）は、少なくとも１つの縦支持部（１１５）の中空貫通部を通じて拘束される回転支持部第２端（２３０）を備える。
【００１０】
[0013]  ある実施形態では、腋窩レストローブ（１４５）は、ほぼ人間の腋窩用のサイズを有する腋窩キャビティ（５４５）を備える。
【００１１】
[0014]  ある実施形態は、少なくとも１つの腋窩レスト（１０５）の垂直位置を調節することができる垂直調節装置（１３５）をさらに備える。ある実施形態では、垂直調節装置（１３５）は、少なくとも１つの腋窩レスト（１０５）の垂直位置を調節するように取り外され及び固定され得る中間滑り溝を備える。
【００１２】
[0015]  ある実施形態では、少なくとも１つの横支持部（１１０）は回転支持部（１２０）にしっかりと固定される。
【００１３】
[0016]  ある実施形態は、少なくとも１つの縦支持部（１１５）に対して水平に少なくとも１つの横支持部（１１０）を回転させることができる旋回支持部（１３０）をさらに備える。ある実施形態では、旋回支持部（１３０）はヒンジである。
【００１４】
[0017]  ある実施形態は、少なくとも１つの縦支持部（５１５）に少なくとも１つの横支持部（５１０）を斜めに取り付ける少なくとも１つの斜め支持部（５７０）をさらに備える。
【００１５】
[0018]  ある実施形態は、相対的不動支持部（５６５）をさらに備える。ある実施形態では、相対的不動支持部（５６５）は壁である（例えば図３）。ある実施形態では、相対的不動支持部（５６５）は床（３１０）である。
【００１６】
[0019]  ある実施形態は水平フレーム（５７５）をさらに備える。ある実施形態では、水平フレーム（５７５）は可動ベース（５８０）を備える。ある実施形態では、可動ベース（５８０）は、可動ベース（５８０）に取り付けられた複数の車輪（５８５）を備える。ある実施形態では、水平フレーム（５７５）は水平フレーム旋回部（５９０）を備える。
【００１７】
[0020]  ある実施形態では、回転支持部（１２０）は、少なくとも１つの横支持部（１１０）に対して少なくとも１つのエネルギー貯蔵装置（２２０）を拘束するために少なくとも１つの横支持部（１１０）上の横支持部固定部（２１５）を備える。ある実施形態では、横支持部固定部（２１５）は、中空貫通部であり、すなわち、ばねタング又はファスナに関するものである。ある実施形態では、横支持部固定部（２１５）はクランプである。ある実施形態では、横支持部固定部（２１５）は溶接物である。
【００１８】
[0021]  ある実施形態では、回転支持部（１２０）は、少なくとも１つの横支持部（１１０）のぐらつきを拘束する少なくとも１つの横支持部拘束部（２１０、２３５）を備える。ある実施形態では、少なくとも１つの横支持部拘束部はブッシングである。ある実施形態では、少なくとも１つの横支持部拘束部はベアリングである。
【００１９】
[0022]  ある実施形態では、当該装置は、固定した座席固定物（６７５）をさらに備える。固定した座席固定物（６７５）は車椅子であってもよい。
【図面の簡単な説明】
【００２０】
【図１Ａ】対麻痺患者の身支度を補助する装置の一実施形態（１００）の作動「前」及び作動「後」を示す側面図である。
【図１Ｂ】対麻痺患者の身支度を補助する装置の一実施形態（１００）の作動「前」及び作動「後」を示す側面図である。
【図１Ｃ】対麻痺患者の身支度を補助する装置の一実施形態（１００）の作動「前」及び作動「後」を示す側面図である。
【図２Ａ】対麻痺患者の身支度を補助する装置の一実施形態（２００）についての回転支持部（１２０）の詳細図である。
【図２Ｂ】対麻痺患者の身支度を補助する装置の一実施形態（２００）についての回転支持部（１２０）の詳細図である。
【図３】対麻痺患者の身支度をまさに補助しようとしている装置の実施形態（３００）の側面図である。
【図４】対麻痺患者の身支度を補助している装置の実施形態（４００）の斜視図である。
【図５】対麻痺患者の身支度を補助する装置の実施形態（５００）の斜視図である。
【図６】対麻痺患者の身支度を補助する装置の実施形態（６００）の斜視図である。
【図７】対麻痺患者の身支度を補助する装置の実施形態（７００）の斜視図である。
【発明を実施するための形態】
【００２１】
[0030]  図１Ａ、図１Ｂ及び図１Ｃは、対麻痺患者の身支度を補助する装置の実施形態（１００）の作動「前」及び作動「後」の側面図を示す。
【００２２】
[0031]  図１Ａ（作動「前」）及び図１Ｂ（作動「後」）には、少なくとも１つの腋窩レスト（１０５）と、少なくとも１つの横支持部（１１０）と、少なくとも１つの縦支持部（１１５）と、回転支持部（１２０）と、回転支持部固定部（１２５）と、旋回支持部（１３０）と、垂直調節装置（１３５）と、腋窩レスト厚さ（１４０）と、が示されている。図１Ｂにはさらに、腋窩レストローブ（１４５）と、少なくとも１つの略平坦横側面（１５０）と、腋窩レスト縁部（１５５）と、腋窩レストローブ高さ（１６０）と、が示されている。
【００２３】
[0032]  実施形態（１００）は、腋窩レスト厚さ（１４０）、腋窩レストローブ（１４５）、少なくとも１つの略平坦横側面（１５０）、腋窩レスト縁部（１５５）及び腋窩レストローブ高さ（１６０）を有する少なくとも１つの腋窩レスト（１０５）を備え、腋窩レストローブ高さ（１６０）は腋窩レスト厚さ（１４０）より大きい。
【００２４】
[0033]  実施形態（１００）は、少なくとも１つの横支持部（１１０）と、回転支持部（１２０）と、回転支持部固定部（１２５）と、をさらに備える。少なくとも１つの腋窩レスト（１０５）は少なくとも１つの横支持部（１１０）にしっかりと取り付けられ、少なくとも１つの横支持部（１１０）は少なくとも１つの縦支持部（１１５）にしっかりと取り付けられる。回転支持部（１２０）は少なくとも１つの横支持部（１１０）にしっかりと取り付けられ、回転支持部（１２０）の一部は回転支持部固定部（１２５）にしっかりと固定される。回転支持部（１２０）の細部を図２に示す。
【００２５】
[0034]  少なくとも１つの腋窩レスト（１０５）は使用者に焦点を置いている。一例として、少なくとも１つの腋窩レスト（１０５）は、身支度中に使用者がアームレスト上に腋窩を置くための安定した場所を提供する。より重要なことは、後述するように、少なくとも１つの腋窩レスト（１０５）が、対麻痺患者の身支度を能動的に補助することである。
【００２６】
[0035]  少なくとも１つの腋窩レスト（１０５）は、通常、可撓性及び耐久性を有する材料で被覆された軟質パッドであって、丈夫な支持片内部を有する軟質パッドである。少なくとも１つの腋窩レスト（１０５）の軟質パッドは、連続気泡発泡体、独立気泡発泡体、又は、その両方を備えてもよい。可撓性及び耐久性を有する被覆は、ビニール、皮革、又は、他の可撓性及び耐久性を有する材料であってもよい。丈夫な支持片内部は、金属、木材、プラスチック又は合成物から形成されてもよい。他の材料もまた有用であり得る。丈夫な支持片内部は、射出成形によって少なくとも１つの横支持部（１１０）の一部として軟質パッド内に組み込まれてもよく、又は、丈夫な支持片が少なくとも１つの腋窩レスト（１０５）の内部に縫合されてもよい。少なくとも１つの腋窩レスト（１０５）は、層状に構築された複数の材料から形成されてもよい。
【００２７】
[0036]  少なくとも１つの横支持部（１１０）は、使用者に対して、装置の残りの部分に対して及び環境に対して、少なくとも１つの腋窩レスト（１０５）を固定する。構造上の要求に応じて、少なくとも１つの横支持部（１１０）は、金属、木材、プラスチック又は合成物から形成されてもよい。他の材料もまた有用であり得る。少なくとも１つの横支持部（１１０）は中空又は中実であってもよい。少なくとも１つの横支持部（１１０）は、円形、四角形、三角形、又は、「Ｕ」字及び「Ｖ」字ブラケット若しくはＩ型鋼のような溝形状を含む任意の形状であってもよい。少なくとも１つの横支持部（１１０）の主要な機能は、使用者に対して少なくとも１つの腋窩レスト（１０５）を固定することであるので、少なくとも１つの横支持部（１１０）の材料及び形状は、この機能を実現する任意の材料又は形状であってもよい。製造又は組立の快適さ、容易さ及びコストという点において、少なくとも１つの横支持部（１１０）は、ある部分に１以上の材料又は形状を、及び、少なくとも１つの横支持部（１１０）の他の部分に１以上の同一の又は異なる材料又は形状を有してもよい。ある実施形態では、少なくとも１つの横支持部（１１０）は、一端で（丈夫な支持片内部によって）少なくとも１つの腋窩レスト（１０５）に固定されたロッド又は管であり、かつ、他端で少なくとも１つの縦支持部（１１５）に固定される。
【００２８】
[0037]  ある実施形態は少なくとも１つの縦支持部（１１５）を含んでもよい。少なくとも１つの縦支持部（１１５）は、使用者に対して、装置の残りの部分に対して及び環境に対して、少なくとも１つの横支持部（１１０）を固定する。実施形態の典型的な形態を図３、図４、図５及び図６に示す。
【００２９】
[0038]  少なくとも１つの縦支持部（１１５）は、金属、木材、プラスチック又は合成物から形成されてもよい。他の材料もまた有用であり得る。少なくとも１つの縦支持部（１１５）は壁であってもよい。少なくとも１つの縦支持部（１１５）は、中空又は中実の材料、プレート、又は、「Ｕ」字及び「Ｖ」字ブラケット若しくはＩ型鋼を含む１以上の溝形状のブラケットの１以上であってもよい。少なくとも１つの縦支持部（１１５）の主要な機能は、使用者に対して少なくとも１つの横支持部（１１０）を固定することであるので、少なくとも１つの縦支持部（１１５）の材料及び形状は、この機能を実現する任意の材料又は形状であってもよい。製造又は組立の快適さ、容易さ又はコストという点において、少なくとも１つの縦支持部（１１５）は、ある部分に１以上の材料又は形状を有してもよく、かつ、少なくとも１つの縦支持部（１１５）の他の部分に１以上の同一の又は異なる材料又は形状を有してもよい。
【００３０】
[0039]  実施形態（１００）は、図３、図４又は図６に示すように、使用者が座席固定物に座ることを可能にするように位置決めされてもよい。実施形態（１００）はまた、自宅、オフィス、手洗い場、介護施設又は他の場所に存在する固定物に対して位置決めされてもよい。実施形態の典型的な形態を図３、図４、図５及び図６に示す。
【００３１】
[0040]  装置はまた回転支持部（１２０）を備える。回転支持部（１２０）は、少なくとも１つの腋窩レスト（１０５）が半径方向（時計回り及び半時計回り）に回転すること並びに回転からのエネルギーを貯蔵することを可能にすることができる。回転支持部（１２０）は、少なくとも１つの横支持部（１１０）に固定された少なくとも１つのエネルギー貯蔵装置（２２０）を備え、及び、少なくとも１つのエネルギー貯蔵装置（２２０）は、ほぼ垂直位置からほぼ水平位置に少なくとも１つの腋窩レスト（１０５）を回転させるのに十分なエネルギーを貯蔵及び放出することができる。回転支持部（１２０）は、少なくとも１つの縦支持部（１１５）であり得る環境に対して、少なくとも１つの腋窩レスト（１０５）が回転することを可能にすることができる任意の機構であってもよい。図２は回転支持部（１２０）を詳細に示す。
【００３２】
[0041]  回転支持部（１２０）は、少なくとも１つの位置で少なくとも１つの横支持部（１１０）に取り付けられ、及び、別の位置で少なくとも１つの横支持部（１１０）に対して固定される。ある実施形態では、回転支持部（１２０）は、少なくとも１つの縦支持部（１１５）に又は少なくとも１つの縦支持部（１１５）内に、固定される。図２Ａ、図２Ｂ及び図６は、回転支持部（１２０）がどのように固定され得るかの例を示している。
【００３３】
[0042]  図１Ａ及び図１Ｂを比較すると、図１Ａは、少なくとも１つの腋窩レスト（１０５）が水平であり、少なくとも１つの腋窩レスト（１０５）の腋窩レストローブ（１４５）が水平な状態であり、かつ、少なくとも１つの腋窩レスト（１０５）の少なくとも１つの略平坦横側面（１５０）が垂直に向く状態であるデフォルト位置にある装置を表している。少なくとも１つの略平坦横側面（１５０）は、使用者が快適であるように、及び、使用者が、ほぼ平坦でない表面によって生じる高さの差によって影響を受けないように、ほぼ平坦又は一様に実質的に平坦であるべきである。しかしながら、ほぼ平坦の限定は、１以上のピロー状の台又は隆起を有し得る平坦でない表面を排除しない。それどころか、少なくとも１つの略平坦横側面（１５０）は、使用者の腋窩が腋窩レストローブ（１４５）上にある時に、その後に使用者が少なくとも１つの略平坦横側面（１５０）上で支持される時に、使用者の腋窩が座席固定物よりも高いような表面特性を有するべきである。
【００３４】
[0043]  図１Ｂに示すように、少なくとも１つの横支持部（１１０）は少なくとも１つの略平坦横側面（１４５）を垂直半部分に分割する。一方の半部分は腋窩レストローブ（１４５）を備え、他方の半部分は腋窩レスト縁部（１５５）を備える。図１Ａに示すように、少なくとも１つの略平坦横側面（１５０）の腋窩レスト縁部（１５５）に付加される下方向の力は少なくとも１つの腋窩レスト（１０５）を回転させ、それがうまくいくと、少なくとも１つの腋窩レスト（１０５）の腋窩レストローブ（１４５）を垂直に移動させる。少なくとも１つの腋窩レスト（１０５）の少なくとも１つの略平坦横側面（１５０）は、その後、図１Ｂに示すように水平に向く。
【００３５】
[0044]  少なくとも１つの腋窩レスト（１０５）の腋窩レストローブ（１４５）の腋窩レストローブ高さ（１６０）は、少なくとも１つの略平坦横側面（１５０）の腋窩レスト厚さ（１４０）よりも寸法的に大きいので、少なくとも１つの腋窩レスト（１０５）は、腋窩レスト厚さ（１４０）と腋窩レストローブ高さ（１６０）との間の差分だけ上方向に有効に使用者を持ち上げる。図３及び図４は高さの差分も示している。ある実施形態では、腋窩レストローブ（１４５）は凹状である。ある実施形態では、腋窩レストローブ（１４５）は、ほぼ人間の腋窩のサイズの腋窩キャビティ（５４５）を備える。ある実施形態では、腋窩レストローブ（１４５）はほぼ平坦である。ある実施形態では、腋窩レスト縁部（１５５）は凸状である。
【００３６】
[0045]  少なくとも１つの腋窩レスト（１０５）が回転すると、そのことが、少なくとも１つの横支持部（１１０）に回転力を伝達し、少なくとも１つの横支持部（１１０）が回転支持部（１２０）に回転力を伝達し、回転支持部（１２０）が回転支持部（１２０）内にエネルギーとしてそれらの力を貯蔵する。
【００３７】
[0046]  使用者が腋窩レスト縁部（１５５）上への下方向の力を解放すると、回転支持部（１２０）内に貯蔵されたエネルギーは、少なくとも１つの横支持部（１１０）を通じて伝達し戻される。少なくとも１つの腋窩レスト（１０５）は、デフォルト位置まで回転して座席固定物まで使用者を下ろす。
【００３８】
[0047]  ある実施形態は、少なくとも１つの縦支持部（１１５）に対する少なくとも１つの横支持部（１１０）の旋回を可能にすることができる旋回支持部（１３０）を備えてもよい。ある実施形態では、旋回支持部（１３０）は少なくとも１つの縦支持部（１１５）の一部である。ある実施形態では、旋回支持部（１３０）はヒンジであってもよい。
【００３９】
[0048]  ある実施形態は、少なくとも１つの腋窩レスト（１０５）を垂直方向に調節することができる垂直調節装置（１３５）を備えてもよい。ある実施形態では、垂直調節装置（１３５）は、中間滑り溝、すなわち、典型的には四角形、Ｕ字状又はＶ字状の中間滑り溝を有する少なくとも１つの縦支持部（１１５）を備えてもよく、垂直調節装置（１３５）は、少なくとも１つの腋窩レスト（１０５）の垂直位置を調節するように取り外され及び固定され得る。
【００４０】
[0049]  ある実施形態では、垂直調節装置（１３５）は、少なくとも１つの腋窩レスト（１０５）の垂直位置を調節するために少なくとも１つの縦支持部（１１５）に固定されたプレート、溝、ブラケット又は管の中空貫通部を通るつまみねじを備えてもよい。
【００４１】
[0050]  ある実施形態では、垂直調節装置（１３５）は、少なくとも１つの腋窩レスト（１０５）の垂直位置を調節するために少なくとも１つの縦支持部（１１５）に固定されたプレート、溝、ブラケット又は管の中空貫通部から除去される、ピン、割りピン、止めピン、無ねじボルト等を備えてもよい。
【００４２】
[0051]  ある実施形態では、垂直調節装置（１３５）は、少なくとも１つの横支持部（１１０）の垂直位置の調節が少なくとも１つの腋窩レスト（１０５）の垂直位置を調節するように、少なくとも１つの横支持部（１１０）に固定されたブラケットを備えてもよい。
【００４３】
[0052]  ある実施形態では、垂直調節装置（１３５）は、少なくとも１つの縦支持部（１１５）又は少なくとも１つの横支持部（１１０）に固定されたジャッキねじを備えてもよい。１以上のジャッキねじが用いられてもよい。
【００４４】
[0053]  少なくとも１つの横支持部（１１０）の１つを有する実施形態は１つの垂直調節装置（１３５）を有し得る一方で、少なくとも１つの横支持部（１１０）の複数を有する実施形態は２以上の垂直調節装置（１３５）を有する場合があるが、少なくとも１つの横支持部（１１０）の相互接続されたセットが、少なくとも１つの横支持部（１１０）の複数にしっかりと取り付けられる１つの垂直調節装置（１３５）を有し得る。
【００４５】
[0054]  図１Ｃは、対麻痺患者の身支度を補助する装置の実施形態（１００）の作動「前」及び作動「後」の正面図の簡略化した細部を示す。図１Ｃには、少なくとも１つの腋窩レスト（１０５）と、少なくとも１つの横支持部（１１０）と、腋窩レスト厚さ（１４０）と、腋窩レストローブ（１４５）と、少なくとも１つの略平坦横側面（１５０）と、腋窩レスト縁部（１５５）と、腋窩レストローブ高さ（１６０）と、が示されている。
【００４６】
[0055]  図１Ａに示して説明するように、少なくとも１つの腋窩レスト（１０５）のデフォルト位置は作動「前」のほぼ水平位置であり、少なくとも１つの略平坦横側面（１５０）がほぼ垂直位置で上方向を向いている状態である。この構成では、使用者は、腋窩レストローブ（１４５）に腋窩を隣接させた状態で少なくとも１つの腋窩レスト（１０５）の少なくとも１つの略平坦横平側面（１５０）上に腕を置いてもよい。腋窩レスト厚さ（１４０）によって示されるように、使用者の腋窩、及び従って、腕は、少なくとも１つの横支持部（１１０）の中心線の上方のちょうどその距離にある。
【００４７】
[0056]  使用者は、その後、腋窩レスト縁部（１５５）上に腕を押し付ける。この力は、この図において時計回りに少なくとも１つの腋窩レスト（１０５）をほぼ９０度回転させる。使用者の腕及び腋窩は、その後、少なくとも１つの腋窩レスト（１０５）が回転すると同時に持ち上げられる。使用者の腕及び腋窩はその後、腋窩レストローブ（１４５）の高さまで持ち上げられ、持ち上げられた高さは腋窩レストローブ高さ（１６０）によって表される。
【００４８】
[0057]  少なくとも１つの略平坦横側面（１５０）は、現在では、ほぼ水平位置に向いており、及び、腋窩レストローブ（１４５）はほぼ垂直位置に向いている。より重要なことは、使用者が、腋窩レスト厚さ（１４０）の線から腋窩レストローブ高さ（１６０）の線までの距離だけ持ち上げられ、及び従って、使用者は座っていたとしても引き上げられる。
【００４９】
[0058]  図２Ａ及び図２Ｂは、対麻痺患者の身支度を補助する装置の実施形態（２００）についての回転支持部（１２０）の詳細図を示す。図２Ａは、少なくとも１つの縦支持部（１１５）に固定された回転支持部（１２０）を示す。図２Ｂは、少なくとも１つの縦支持部（１１５）内に固定された回転支持部（１２０）を示す。
【００５０】
[0059]  図２Ａ及び図２Ｂには、少なくとも１つの横支持部（１１０、参照のため）と、回転支持体（２０５）と、第１の少なくとも１つの縦支持部拘束部（２１０）と、横支持部固定部（２１５）と、少なくとも１つのエネルギー貯蔵装置（２２０）と、回転支持部第１端（２２５）と、回転支持部第２端（２３０）と、後述するように、第２の少なくとも１つの横支持部拘束部（２３５）と、が示されている。
【００５１】
[0060]  回転支持体（２０５）は、回転支持体（２０５）内の相対位置に回転支持部（１２０）の部品を固定する。回転支持体（２０５）は、金属、木材、プラスチック又は合成物から形成されてもよい。他の材料もまた有用であり得る。円筒形として示されているが、回転支持体（２０５）は任意の形状であってもよい。ある実施形態では、回転支持体（２０５）は三角形であり、及び、回転支持体（２０５）はまた、少なくとも１つの横支持部（１１０）のための斜め支持部として機能し得る。図５を参照されたい。
【００５２】
[0061]  第１の少なくとも１つの横支持部拘束部（２１０）は、回転支持体（２０５）内で少なくとも１つの横支持部（１１０）のための安定点として機能する。第１の少なくとも１つの横支持部拘束部（２１０）は、ぐらつきを軽減して少なくとも１つの横支持部（１１０）に回転安定性を提供する。ある実施形態は１つの横支持部拘束部で十分であるが、ぐらつきによる損傷のリスクによれば、２つの横支持部拘束部の方がより安全であること示唆している。少なくとも１つの横支持部（１１０）が回転しかつ使用中に他の部品に対する安定性を有することを第１の少なくとも１つの横支持部拘束部（２１０）が可能にする限り、第１の少なくとも１つの横支持部拘束部（２１０）は金属、木材、プラスチック又は合成物から形成されてもよい。他の材料もまた有用であり得る。ある実施形態では、少なくとも１つの横支持部（１１０）は回転支持部（１２０）にしっかりと固定される。ある実施形態では、少なくとも１つの横支持部（１１０）は回転支持部（１２０）内にしっかりと固定される。ある実施形態では、少なくとも１つの横支持部拘束部はブッシングである。ある実施形態では、少なくとも１つの横支持部拘束部はベアリングである。
【００５３】
[0062]  横支持部固定部（２１５）は、回転エネルギーが少なくとも１つの腋窩レスト（１０５）から少なくとも１つのエネルギー貯蔵装置（２２０）に伝達されるように少なくとも１つの横支持部（１１０）に対して少なくとも１つのエネルギー貯蔵装置（２２０）を拘束する。横支持部固定部（２１５）は、少なくとも１つの腋窩レスト（１０５）から回転エネルギーを伝達するような形状及び特定の機能を合わせ持つ。ある実施形態では、横支持部固定部（２１５）は、回転支持部第１端（２２５）を受け入れるために少なくとも１つの横支持部（１１０）上に中空貫通部を備える。ある実施形態では、横支持部固定部（２１５）は、少なくとも１つのエネルギー貯蔵装置（２２０）に少なくとも１つの横支持部（１１０）を固定するためのクランプ、溶接物又は少なくとも１つの横支持部（１１０）上の他の固定部であってもよい。
【００５４】
[0063]  少なくとも１つのエネルギー貯蔵装置（２２０）は、少なくとも１つの腋窩レスト（１０５）の回転による少なくとも１つの横支持部（１１０）の回転からのエネルギーを受け入れ、貯蔵し及び戻すように機能する。少なくとも１つのエネルギー貯蔵装置（２２０）は通常、少なくとも１つの横支持部（１１０）の回転からのエネルギーを受け入れ、貯蔵し及び戻すことができる弾性特性を有する。ある実施形態では、少なくとも１つのエネルギー貯蔵装置（２２０）はばねである。ある実施形態では、少なくとも１つのエネルギー貯蔵装置（２２０）はトーションバーである。ある実施形態では、少なくとも１つのエネルギー貯蔵装置（２２０）はラチェットである。ある実施形態では、少なくとも１つのエネルギー貯蔵装置（２２０）はカム及び戻り止めである。戻り止めは手動で又は自動で解放され得る。
【００５５】
[0064]  ある実施形態では、少なくとも１つのエネルギー貯蔵装置（２２０）は、少なくとも１つの横支持部（１１０）に少なくとも１つのエネルギー貯蔵装置（２２０）を固定するための回転支持部第１端（２２５）を一端に有する。ある実施形態では、少なくとも１つのエネルギー貯蔵装置（２２０）は、回転支持体（２０５）内の相対位置に少なくとも１つのエネルギー貯蔵装置（２２０）を固定するための回転支持部第２端（２３０）を反対端に有する。回転支持部第１端（２２５）及び回転支持部第２端（２３０）が少なくとも１つのエネルギー貯蔵装置（２２０）の両端同士よりも近くにあり得るが、ばねが受け取って伝達することが可能なエネルギーの量は、回転支持部第１端（２２５）と回転支持部第２端（２３０）との間の多数のエネルギー吸収部（通常、コイル）の関数である。少なくとも１つのエネルギー貯蔵装置（２２０）は、少なくとも１つの横支持部（１１０）からの回転のエネルギーを受け取り、貯蔵し及び伝達することができる任意の材料から形成されてもよい。一般的な材料は、金属、すなわち、鋼又はアルミニウム及びそれらの合金を含む。少なくとも１つのエネルギー貯蔵装置（２２０）はまた、プラスチックを含む他の弾性材料から形成されてもよい。
【００５６】
[0065]  回転支持部第１端（２２５）は、少なくとも１つの横支持部（１１０）の回転中、回転支持体（２０５）内に少なくとも１つのエネルギー貯蔵装置（２２０）を拘束し、及び、少なくとも１つのエネルギー貯蔵装置（２２０）に回転のエネルギーを伝達する。回転支持部第１端（２２５）は、通常、少なくとも１つのエネルギー貯蔵装置（２２０）の一体部分であり、同一の材料から形成される。回転支持部第１端（２２５）の典型的な材料は、金属、すなわち、鋼又はアルミニウム及びそれらの合金を含む。回転支持部第１端（２２５）はまた、プラスチックを含む他の弾性材料から形成されてもよい。
【００５７】
[0066]  ある実施形態では、回転支持部第１端（２２５）は、別の材料から形成されてもよく、代替技術を介して少なくとも１つのエネルギー貯蔵装置（２２０）に取り付けられてもよい。取り付けは、クランプを介することを含む機械的なもの、溶接による等の熱的なもの、又は、溶剤によって生じる等の化学的なものであってもよい。
【００５８】
[0067]  回転支持部第２端（２３０）は、少なくとも１つの横支持部（１１０）が少なくとも１つの腋窩レスト（１０５）によって回転させられる時、少なくとも１つのエネルギー貯蔵装置（２２０）が少なくとも１つの横支持部（１１０）とともに回転しないように、回転支持体（２０５）に対して少なくとも１つのエネルギー貯蔵装置（２２０）を拘束する。回転支持部第２端（２３０）は、回転支持部固定部（１２５）によって回転支持体（２０５）に対して拘束されることによって、回転支持体（２０５）に対する少なくとも１つのエネルギー貯蔵装置（２２０）の回転を拘束する。ある実施形態では、回転支持部第２端（２３０）は、回転支持部固定部（１２５）内の中空貫通部を通じて回転支持部固定部（１２５）によって拘束され得る。ある実施形態では、回転支持部第２端（２３０）は回転支持部固定部（１２５）にクランプされ得る。ある実施形態では、回転支持部第２端（２３０）は回転支持部固定部（１２５）に溶接され得る。ある実施形態では、回転支持部第２端（２３０）は、中空貫通部を通じて少なくとも１つの縦支持部（１１５）を通じて固定され得る。図２Ｂを参照されたい。
【００５９】
[0068]  回転支持部第２端（２３０）は通常、少なくとも１つのエネルギー貯蔵装置（２２０）の一体部分であり、及び、同一の材料から形成される。回転支持部第２端（２３０）の典型的な材料は、金属、すなわち、鋼又はアルミニウム及びそれらの合金を含む。回転支持部第２端（２３０）はまた、プラスチックを含む他の弾性材料から形成され得る。
【００６０】
[0069]  ある実施形態では、回転支持部第２端（２３０）は、別の材料から形成されてもよく、代替技術を介して少なくとも１つのエネルギー貯蔵装置（２２０）に又は回転支持部固定部（１２５）に取り付けられる。取り付けは、クランプを介することを含む機械的なもの、溶接による等の熱的なもの、又は、溶剤によって生成される等の化学的なものであってもよい。
【００６１】
[0070]  ある実施形態では、第２の少なくとも１つの横支持部拘束部（２３５）は、回転支持体（２０５）内で少なくとも１つの横支持部（１１０）についての付加的な安定点として機能するように用いられ得る。第２の少なくとも１つの横支持部拘束部（２３５）は、少なくとも１つの横支持部（１１０）へのさらなるぐらつきのない回転安定性を提供する。第２の少なくとも１つの横支持部拘束部（２３５）は、当該第２の少なくとも１つの横支持部拘束部（２３５）が少なくとも１つの横支持部（１１０）が回転することを可能にするとともに他の部品に対する安定性を有する限りにおいて、金属、木材、プラスチック又は合成物から形成されてもよい。他の材料もまた有用であり得る。
【００６２】
[0071]  図３は、対麻痺患者の身支度をまさに補助しようとしている装置の実施形態（３００）の側面図を示す。図３は、図１Ａに追加して、使用者「Ａ」、本実施形態において床（３１０）への取り付けによって相対的に不動である相対的不動支持部（３０５）、座席固定物（３１５）、及び、座席固定物（３１５）の上方のＡの腋窩の第１高さ（３２０）を表している。
【００６３】
[0072]  図１Ａと同様に、少なくとも１つの腋窩レスト（１０５）は少なくとも１つの横支持部（１１０）にしっかりと取り付けられ、少なくとも１つの横支持部（１１０）は、図２Ａに示すように回転支持部（１２０）に取り付けられ、回転支持部（１２０）は、ここでは少なくとも１つの縦支持部（１１５）に取り付けられることによって使用者「Ａ」に対して固定されている。
【００６４】
[0073]  装置を使用するため、使用者は、腕を水平に広げて少なくとも１つの腋窩レスト（１０５）上に使用者の腋窩を置いた状態で、少なくとも１つの横支持部（１１０）の脇の位置につく。腋窩の下に少なくとも１つの腋窩レスト（１０５）がある状態で、使用者の腋窩は、座席固定物（３１５）に対して、すなわち、座席固定物（３１５）上にあるＡの臀部に対してＡの腋窩の第１高さ（３２０）にある。
【００６５】
[0074]  その後、腕が下ろされる。腕が下ろされると、腕は、少なくとも１つの腋窩レスト（１０５）の上側にある少なくとも１つの略平坦横側面（１５０）（図１Ｂに示す）の腋窩レスト縁部（１５５）（図１Ａに示す）上を圧迫し、少なくとも１つの略平坦横側面（１５０）は、図４に示すように、水平位置から垂直位置に向きを変える。
【００６６】
[0075]  図４は、対麻痺患者の身支度を補助する装置の実施形態（４００）の斜視図を示す。図３は、図１Ａに追加して表す一方で、図４は、図１Ｂに対して、図３の使用者「Ａ」及び相対的不動支持部（３０５）を追加して表すとともに、図３にあるような座席固定物（３１５）の上方のＡの腋窩の第１高さ（３２０）を示している。
【００６７】
[0076]  図４には、図１Ｂ及び図３に示す構造に加えて、座席固定物（３１５）の上方のＡの腋窩の第２高さ（４０５）、及び、持ち上げ距離（４１０）が示されている。
【００６８】
[0077]  図３からの説明を続けると、腋窩レスト縁部（１５５）上を圧迫することによって、少なくとも１つの腋窩レスト（１０５）の回転が引き起こされ、そのことが腋窩レストローブ（１４５）の向きをほぼ垂直位置に変え、及び、少なくとも１つの略平坦横側面（１５０）の向きをほぼ水平位置に変える。
【００６９】
[0078]  その結果、使用者「Ａ」の腋窩は座席固定物（３１５）の上方のＡの腋窩の第１高さ（３２０）にはなく、使用者「Ａ」の腋窩は座席固定物（３１５）の上方のＡの腋窩の第２高さ（４０５）まで持ち上げられた。腋窩レスト厚さ（１４０）と腋窩レストローブ高さ（１６０）との間の差分は、結果として持ち上げ距離（４１０）となり、持ち上げ距離（４１０）は、座席固定物（３１５）の上方のＡの腋窩の第１高さ（３２０）と、座席固定物（３１５）の上方のＡの腋窩の第２高さ（４０５）との間の差分である。
【００７０】
[0079]  座席固定物（３１５）の上方に持ち上げ距離（４１０）だけ「Ａ」を持ち上げることによって、「Ａ」は座席固定物（３１５）との接触から解放され、「Ａ」は現在は、パンツを着用する若しくは脱ぐこと又はその両方を実行することができる。
【００７１】
[0080]  図５は、対麻痺患者の身支度を補助する装置の実施形態（５００）の斜視図を示す。
【００７２】
[0081]  図５には、少なくとも１つの腋窩レスト（５０５）と、少なくとも１つの横支持部（５１０）と、少なくとも１つの縦支持部（５１５）と、回転支持部（５２０）と、回転支持部固定部（５２５）と、旋回支持部（５３０）と、垂直調節装置（５３５）と、人間の腋窩のための腋窩キャビティ（５４５）とほぼ同一のサイズの腋窩レストローブ（例えば１４５）と、少なくとも１つの略平坦横側面（５５０）と、相対的不動支持部（５６５）と、少なくとも１つの斜め支持部（５７０）と、水平フレーム（５７５）と、可動ベース（５８０）と、複数の車輪（５８５）と、水平フレーム旋回部（５９０）と、が示されている。さらに、図５には回転支持部第２端（２３０）が示されている。
【００７３】
[0082]  実施形態（５００）は、実施形態（１００）と本質的に同一であり、相対的不動支持部（５６５）と、少なくとも１つの斜め支持部（５７０）と、水平フレーム（５７５）と、可動ベース（５８０）と、複数の車輪（５８５）と、水平フレーム旋回部（５９０）と、が追加されている。
【００７４】
[0083]  実施形態（５００）では、対麻痺患者の身支度を補助する装置は、可動性を備えており、かつ、コンパクト性も備えてもよい。相対的不動支持部としての壁と同等の機能を提供するため、本実施形態は、対麻痺患者の身支度を補助する装置に対して代替の安定性を提供する。
【００７５】
[0084]  ある実施形態は相対的不動支持部（５６５）を含んでもよい。複数の少なくとも１つの横支持部（５１０）がある場合、相対的不動支持部（５６５）が安定性を提供し、そのため、複数の少なくとも１つの腋窩レスト（５０５）が互いに独立して動きにくい。
【００７６】
[0085]  相対的不動支持部（５６５）は、金属、木材、プラスチック又は合成物から形成されてもよい。他の材料もまた有用であり得る。相対的不動支持部（５６５）は中空であってもよいが、通常は中実である。相対的不動支持部（５６５）は、複数の少なくとも１つの縦支持部（５１５）であり得る別の対象物に取り付けられたプレートであってもよい。
【００７７】
[0086]  相対的不動支持部（５６５）の主要な機能は装置についての代替の安定性の機能を提供することであるので、相対的不動支持部（５６５）の材料及び形状は、この機能を実現する任意の材料又は形状であってもよい。製造又は組立の快適さ、容易さ又はコストという点において、相対的不動支持部（５６５）は、ある部分に１以上の材料又は形状を有してもよく、及び、相対的不動支持部（５６５）の他の部分に１以上の同一の又は異なる材料又は形状を有してもよい。相対的不動支持部（５６５）はまた、図１、図２、図３及び図４に示す実施形態に用いられてもよい。
【００７８】
[0087]  ある実施形態は少なくとも１つの斜め支持部（５７０）を含んでもよい。少なくとも１つの斜め支持部（５７０）は、少なくとも１つの縦支持部（５１５）から少なくとも１つの横支持部（５１０）まで延在してもよく、かつ、少なくとも１つの横支持部（５１０）周りに延在してもよく、又は、一体部品として回転支持部（５２０）に固定されてもよい。
【００７９】
[0088]  少なくとも１つの斜め支持部（５７０）は、相対的不動支持部（５６５）を欠く実施形態に追加の構造支持部を提供するように用いられてもよい。
【００８０】
[0089]  構造上の要求に応じて、少なくとも１つの斜め支持部（５７０）は、金属、木材、プラスチック又は合成物から形成されてもよい。他の材料もまた有用であり得る。
【００８１】
[0090]  ある実施形態では、回転支持部第２端（２３０）は少なくとも１つの斜め支持部に固定されてもよく、この例では、少なくとも１つの斜め支持部が、回転支持部固定部（１２５）として及び少なくとも１つの斜め支持部（５７０）としての両方を兼ねる。
【００８２】
[0091]  ある実施形態は水平フレーム（５７５）を含んでもよい。水平フレーム（５７５）は、対麻痺患者の身支度を補助する装置の実施形態（５００）の可動性について安定性を提供する。水平フレーム（５７５）は、少なくとも１つの縦支持部（５１５）に取り付けられてもよく、及び特に、複数の少なくとも１つの縦支持部（５１５）がある場合の実施形態（５００）を安定化させるために有用である。水平フレーム（５７５）が、図５に示すように分岐され、及び、図５に示すような三辺の四角形又は三角形を有する場合、使用者は、車椅子又は他の椅子を有する実施形態（５００）を用いてもよい。
【００８３】
[0092]  構造上の要求に応じて、水平フレーム（５７５）は、金属、木材、プラスチック又は合成物から形成されてもよい。他の材料もまた有用であり得る。
【００８４】
[0093]  水平フレーム（５７５）は、中空、中実、別の対象物に取り付けられたプレート、又は、「Ｕ」字及び「Ｖ」字ブラケット、Ｉ型鋼を有するような溝形状であってもよい。水平フレーム（５７５）の主要な機能が、装置についての代替の安定性のベースを提供することであるので、水平フレーム（５７５）の材料又は形状は、この機能を実現する任意の材料又は形状であってもよい。製造又は組立の快適さ、容易さ又はコストという点において、水平フレーム（５７５）は、ある部分に１以上の材料又は形状を有してもよく、及び、水平フレーム（５７５）の他の部分に１以上の同一の又は異なる材料又は形状を有してもよい。
【００８５】
[0094]  ある実施形態では、水平フレーム（５７５）は可動ベース（５８０）を備える。可動ベース（５８０）は、対麻痺患者の身支度を補助する装置に可動性を提供する。これらの実施形態は、使用のために、座席固定物又は洗面所の固定物上のような使用場所に移動させられてもよく、及び、使用のために別の場所に移動させられてもよい。構造上の要求に応じて、可動ベース（５８０）は、金属、木材、プラスチック又は合成物から形成されてもよい。他の材料もまた有用であり得る。可動ベース（５８０）は、中空、中実、別の対象物に取り付けられたプレート、若しくは、「Ｕ」字及び「Ｖ」字ブラケット又はＩ型鋼を有する溝形状であってもよい。
【００８６】
[0095]  可動ベース（５８０）の主要な機能が装置の可動性を提供することであるので、可動ベース（５８０）の材料及び形状は、この機能を実現する任意の材料又は形状であってもよい。製造又は組立の快適さ、容易さ又はコストという点において、可動ベース（５８０）は、ある部分に１以上の材料又は形状を有してもよく、及び、可動ベース（５８０）の他の部分に１以上の同一の又は異なる材料又は形状を有してもよい。
【００８７】
[0096]  ある実施形態では、可動ベース（５８０）は、装置の容易な移動のための可動ベース（５８０）に取り付けられた複数の車輪（５８５）をさらに備える。構造上の要求に応じて、複数の車輪（５８５）は、金属、木材、プラスチック又は合成物から形成されてもよい。他の材料もまた有用であり得る。複数の車輪（５８５）は、内部壁又は支柱を有する車輪などの中空、中実又はその混合であってもよい。
【００８８】
[0097]  複数の車輪（５８５）の主要な機能が装置の容易な移動であるので、複数の車輪（５８５）の材料は、この機能を実現する任意の材料であってもよい。製造又は組立の快適さ、容易さ又はコストという点において、複数の車輪（５８５）は、ある部分に１以上の材料又は形状を有してもよく、及び、複数の車輪（５８５）の他の部分に１以上の同一の又は異なる材料又は形状を有してもよい。
【００８９】
[0098]  ある実施形態は水平フレーム旋回部（５９０）を含んでもよい。水平フレーム旋回部（５９０）は、存在する場合に複数の車輪（５８５）を有する可動ベース（５８０）が、装置を畳み込み、従って、装置を小型化することを可能にすることができる。
【００９０】
[0099]  図６は、対麻痺患者の身支度を補助する装置の別の実施形態（６００）の斜視図を示す。
【００９１】
[0100]  図６には（本実施形態での区別のための空間を残すために符号が付されていないが）、少なくとも１つの腋窩レスト（６０５）と、少なくとも１つの横支持部（６１０）と、少なくとも１つの縦支持部（６１５）と、回転支持部（６２０）と、回転支持部固定部（６２５）と、旋回支持部（６３０）と、垂直調節装置（６３５）と、腋窩レストローブ（６４５）と、少なくとも１つの平坦横側面（６５０）と、腋窩レスト縁部（６５５）と、が示されている。図６に示されて符号が付されているのは、相対的不動支持部（６６５）、少なくとも１つの斜め支持部（６７０）、及び、固定した座席固定物（６７５）である。
【００９２】
[0101]  実施形態（６００）は、他の実施形態と同様に、少なくとも１つの腋窩レスト（６０５）と、少なくとも１つの横支持部（６１０）と、回転支持部（６２０）と、回転支持部固定部（６２５）と、腋窩レストローブ（６４５）と、少なくとも１つの平坦横側面（６５０）と、腋窩レスト縁部（６６５）と、を備える。ここで示すように、実施形態（６００）はまた、相対的不動支持部（６６５）と、少なくとも１つの斜め支持部（６７０）と、固定した座席固定物（６７５）と、を含む。
【００９３】
[0102]  少なくとも１つの腋窩レスト（６０５）と、少なくとも１つの横支持部（６１０）と、回転支持部（６２０）と、回転支持部固定部（６２５）と、腋窩レストローブ（６４５）と、少なくとも１つの平坦横側面（６５０）と、腋窩レスト縁部（６５５）と、は前述したように機能する。
【００９４】
[0103]  ある実施形態は、少なくとも１つの縦支持部（６１５）を含んでもよい。少なくとも１つの縦支持部（６１５）は前述したように機能する。
【００９５】
[0104]  ある実施形態は旋回支持部（６３０）を含んでもよい。旋回支持部（６３０）は前述したように機能する。
【００９６】
[0105]  ある実施形態は垂直調節装置（６３５）を含んでもよい。垂直調節装置（６３５）は前述したように機能する。
【００９７】
[0106]  ある実施形態は相対的不動支持部（６６５）を含んでもよい。相対的不動支持部（６６５）は前述したように機能する。
【００９８】
[0107]  ある実施形態は少なくとも１つの斜め支持部（６７０）を含んでもよい。少なくとも１つの斜め支持部（６７０）は前述したように機能する。図６に示す少なくとも１つの斜め支持部（６７０）は、少なくとも１つの三角形のプレート又はハウジングを備え、その内部に、回転支持部（６２０）と、回転支持部固定部（６２５）と、があってもよい。少なくとも１つの斜め支持部（６７０）は少なくとも１つの縦支持部に取り付けられてもよい。
【００９９】
[0108]  固定した座席固定物（６７５）は、図示するように、装置に取り付けられてもよい。固定した座席固定物（６７５）は、床に取り付けられたベースであってもよい。固定した座席固定物（６７５）は、自宅、オフィス、洗面所、介護施設又は別の場所に存在する固定物であってもよい。固定した座席固定物（６７５）は、椅子又はトイレであってもよい。固定した座席固定物（６７５）は車椅子であってもよい。
【０１００】
[0109]  図７は、対麻痺患者の身支度を補助する装置の実施形態（７００）の斜視図を示す。
【０１０１】
[0110]  図７には、図５（５００）の実施形態及び車椅子が示されている。前述のように、使用者は、少なくとも１つの腋窩レスト上に使用者の腕を配置し、腕を下ろし、及び、装置は、使用者を数インチ持ち上げる。パンツを取り替えた後、使用者は、自身の腕を動かすことができ、及び、車椅子に降ろされることが可能である。
【０１０２】
[0111]  これらの説明は及び図面は本開示の実施形態及び教示である。すべての変形例が本開示の精神及び範囲内にある。この開示は、図示した又は説明した実施形態のみに特許請求の範囲を限定するように考慮されるものではない。本発明の精神及び範囲から逸脱しない限りにおいて主題の変更が行われ得る。変更は、本発明の範囲内において可能であることが理解され、及び、請求項のいずれかで列挙される各構造又は要素がすべての均等な構造又は要素を参照するものとして理解されることがさらに意図される。以下の特許請求の範囲は、本発明がどのような形態で用いられ得るかについて可能な限り広く本発明をカバーすることを意図する。
【図１Ａ】
2016540525.tif 000003
【図１Ｂ】
2016540525.tif 000004
【図１Ｃ】
2016540525.tif 000005
【図２Ａ】
2016540525.tif 000006
【図２Ｂ】
2016540525.tif 000007
【図３】
2016540525.tif 000008
【図４】
2016540525.tif 000009
【図５】
2016540525.tif 000010
【図６】
2016540525.tif 000011
【図７】
2016540525.tif 000012
【国際調査報告】
2016540525.tif 000013